(57)【特許請求の範囲】
【請求項１】
複数のＢＢＵ（Ｂａｓｅｂａｎｄ  Ｕｎｉｔ）、及び前記複数のＢＢＵの特定ＢＢＵに接続され、端末に少なくとも一つのセルを介してサービスを直接提供する少なくとも一つのＲＲＵ（Ｒｅｍｏｔｅ  Ｒａｄｉｏ  Ｕｎｉｔ）を含むクラウド無線通信システムにおいて端末がシステム情報を受信する方法であって、
端末がＢＢＵ、ＲＲＵ及びセルの変更の有無を把握可能な識別子をネットワークから受信するステップと、
前記受信された識別子を用いて、前記ＢＢＵ、前記ＲＲＵ及び前記セルの少なくとも一つの変更の有無を把握するステップと、
前記ネットワークから、前記ＢＢＵ、前記ＲＲＵ及び前記セルの一つの変更のために必要なシステム情報を選択的に受信するステップと、を含み、
前記システム情報は、ＢＢＵ特定情報、ＲＲＵ特定情報及びセル特定情報の一つであり、
前記ＢＢＵ特定情報は、前記複数のＢＢＵの前記特定ＢＢＵによって制御され、前記複数のＢＢＵは、同一のキャリアで動作する、方法。
【請求項２】
前記端末は、ソースセルからターゲットセルに移動し、
前記ネットワークは、前記ターゲットセルにサービスを提供する、請求項１に記載の方法。
【請求項３】
前記端末は、セル選択又は再選択を行い、
前記ネットワークは、前記端末が選択又は再選択したセルにサービスを提供する、請求項１に記載の方法。
【請求項４】
同一のキャリアで動作する前記複数のＢＢＵのそれぞれに対応するＢＢＵ特定情報は、同一である、請求項１に記載の方法。
【請求項５】
前記システム情報は、システム情報送信ブロックのタイプ別に、前記ＢＢＵ特定情報、前記ＲＲＵ特定情報、及び前記セル特定情報に区分されている、請求項１に記載の方法。
【請求項６】
同一のキャリアで動作する前記複数のＢＢＵのそれぞれに対応するＢＢＵ特定情報は、前記特定ＢＢＵのみを介して送信される、請求項１に記載の方法。
【請求項７】
前記識別子は、仮想ＢＢＵプールＩＤ、ＢＢＵ  ＩＤ及びＲＲＵ  ＩＤの少なくとも一つを含む、請求項１に記載の方法。
【請求項８】
前記ネットワークからシステム情報スケジューリング情報を受信するステップをさらに有し、
前記選択的に受信するステップは、受信した前記システム情報スケジューリング情報に従って実行される、請求項１に記載の方法。
【請求項９】
前記システム情報スケジューリング情報は、特定システム情報ブロックが適用されるＢＢＵグループ、ＲＲＵグループ及びキャリアグループを示す識別子を含む、請求項８に記載の方法。
【請求項１０】
前記システム情報スケジューリング情報は、前記特定システム情報がＢＢＵ共通情報か、ＲＲＵ共通情報か、キャリア共通情報かを示す単位フィールドをさらに含む、請求項９に記載の方法。
【請求項１１】
複数のＢＢＵ（Ｂａｓｅｂａｎｄ  Ｕｎｉｔ）、及び前記複数のＢＢＵの特定ＢＢＵに接続され、端末に少なくとも一つのセルを介してサービスを直接提供する少なくとも一つのＲＲＵ（Ｒｅｍｏｔｅ  Ｒａｄｉｏ  Ｕｎｉｔ）を含むクラウド無線通信システムにおいて端末にシステム情報を送信する方法であって、
ネットワークから端末にＢＢＵ、ＲＲＵ及びセルの変更の有無を把握可能な識別子を送信するステップと、
前記ネットワークから、ＢＢＵ、ＲＲＵ及びセルの一つの変更のために必要なシステム情報を区分し送信するステップと、を含み、
前記システム情報は、ＢＢＵ特定情報、ＲＲＵ特定情報及びセル特定情報の一つであり、
前記ＢＢＵ特定情報は、前記複数のＢＢＵの前記特定ＢＢＵによって制御され、前記複数のＢＢＵは、同一のキャリアで動作する、方法。
【請求項１２】
複数のＢＢＵ（Ｂａｓｅｂａｎｄ  Ｕｎｉｔ）、及び前記複数のＢＢＵの特定ＢＢＵに接続され、端末に少なくとも一つのセルを介してサービスを直接提供する少なくとも一つのＲＲＵ（Ｒｅｍｏｔｅ  Ｒａｄｉｏ  Ｕｎｉｔ）を含むクラウド無線通信システムで動作する端末であって、
ＢＢＵ、ＲＲＵ及びセルの変更の有無を把握可能な識別子をネットワークから受信するための受信器と、
前記受信器と接続され、前記受信された識別子を用いて前記ＢＢＵ、前記ＲＲＵ及び前記セルの少なくとも一つの変更の有無を把握するように構成されたプロセッサと、
を備え、
前記プロセッサは、前記受信器を経由して前記ネットワークから前記ＢＢＵ、前記ＲＲＵ及び前記セルの一つの変更のために必要なシステム情報を選択的に受信する制御動作を実行し、
前記システム情報は、ＢＢＵ特定情報、ＲＲＵ特定情報及びセル特定情報の一つであり、
前記ＢＢＵ特定情報は、前記複数のＢＢＵの前記特定ＢＢＵによって制御され、前記複数のＢＢＵは、同一のキャリアで動作する、端末。
【請求項１３】
複数のＢＢＵ（Ｂａｓｅｂａｎｄ  Ｕｎｉｔ）、及び前記複数のＢＢＵの特定ＢＢＵに一つ以上接続され、端末に少なくとも一つのセルを介してサービスを直接提供する少なくとも一つのＲＲＵ（Ｒｅｍｏｔｅ  Ｒａｄｉｏ  Ｕｎｉｔ）を含むクラウド無線通信システムで動作するネットワーク装置であって、
前記端末にＢＢＵ、ＲＲＵ及びセルの変更の有無を把握可能な識別子を送信するように構成された送信器と、
前記送信器と接続され、ＢＢＵ、ＲＲＵ及び前記セルの一つの変更のために必要なシステム情報を区分し送信する制御動作を実行するプロセッサと、
を備え、
前記システム情報は、ＢＢＵ特定情報、ＲＲＵ特定情報及びセル特定情報の一つであり、
前記ＢＢＵ特定情報は、前記複数のＢＢＵの前記特定ＢＢＵによって制御され、前記複数のＢＢＵは、同一のキャリアで動作する、ネットワーク装置。
【発明の詳細な説明】
【技術分野】
【０００１】
以下の説明は、クラウド無線通信システムにおいて端末の負担を減らしつつシステム情報を受信する方法、そのためにネットワークでシステム情報を送信する方法及びそのための端末／ネットワーク装置に関する。
【背景技術】
【０００２】
次世代移動通信においてマルチメディアなどのデータサービスをより一層安定して保証するために、マクロセル（ｍａｃｒｏ  ｃｅｌｌ）ベースの同種網で低電力／近距離通信のためのマイクロセル（ｍｉｃｒｏ  ｃｅｌｌ）、例えば、ピコセル（ｐｉｃｏ  ｃｅｌｌ）又はフェムトセル（ｆｅｍｔｏ  ｃｅｌｌ）が混在している階層的セル構造（ｈｉｅｒａｒｃｈｉｃａｌ  ｃｅｌｌ  ｓｔｒｕｃｔｕｒｅ）或いは異種セル構造（ｈｅｔｅｒｏｇｅｎｅｏｕｓ  ｃｅｌｌ  ｓｔｒｕｃｔｕｒｅ）への関心が高まっている。
【０００３】
図１は、異種セル構造を有するネットワーク環境を説明するための図である。
【０００４】
図１に示すように、一つのマクロセルは、マクロ基地局（ＭｅＮＢ）によってサービスを受ける端末（Ｍａｃｒｏ  ＵＥ：ＭＵＥ）を含む。さらに、図１は、マクロセルの境界領域にマイクロセルの一種としてピコセルが形成され、これらがピコ基地局（Ｐｉｃｏ  ｅＮＢ：ＰｅＮＢ）によってサービス提供を受けることを示している。ピコ基地局からサービス提供を受ける端末をＭＵＥと区別するためにピコＵＥ（Ｐｉｃｏ  ＵＥ：ＰＵＥ）と表すことができる。ＰｅＮＢは、マイクロセル又はスモールセルにサービスを提供する基地局の一例であり、様々な小型の基地局がそれに当たる。
【０００５】
マクロｅＮＢの追加設置は、それによるシステム性能の向上に比べてコスト及び複雑度の側面で非効率的であり、よって、上述のようなマイクロｅＮＢの設置による異種網の活用が増大すると予測される。
【０００６】
現在、通信網で考慮している異種網の構造によれば、図１に示すように、一つのマクロセル中には複数個のマイクロセルが共存するようになり、セルコーディネーション（ｃｅｌｌ  ｃｏｏｒｄｉｎａｔｉｏｎ）方式によってリソースが割り当てられ、該当のＵＥにサービスを提供する。
【発明の概要】
【発明が解決しようとする課題】
【０００７】
ただし、上述したような異種網ネットワーク環境では、ＵＥのソースセルからターゲットセルへの移動回数が必然的に増加すると予測される。特に、ネットワーククラウドが可能なクラウドネットワーク環境ではＵＥの接続移動がより頻繁に発生することになり、その都度ＵＥは新しいセル又はネットワークへの接続に関するシステム情報を受信しなければならず、負担が増加してしまう。
【課題を解決するための手段】
【０００８】
上述したような課題を解決するための本発明の一側面では、一つ以上のＢＢＵ（Ｂａｓｅｂａｎｄ  Ｕｎｉｔ）、及び前記ＢＢＵのうちの特定ＢＢＵに一つ以上接続され、端末に一つ以上のセルを介してサービスを直接提供するＲＲＵ（Ｒｅｍｏｔｅ  Ｒａｄｉｏ  Ｕｎｉｔ）を含むクラウド無線通信システムにおいて端末がシステム情報を受信する方法を提供する。この方法では、端末がＢＢＵ、ＲＲＵ及びセルの変更の有無を把握可能な識別子をネットワークから受信し、前記受信した識別子から前記ＢＢＵ、前記ＲＲＵ及び前記セルのいずれか一つ以上の変更の有無を把握し、前記ネットワークから前記ＢＢＵの変更、前記ＲＲＵの変更、前記セルの変更のいずれか一つに必要なシステム情報だけを選択的に受信することを特徴とする。
【０００９】
前記端末は、ソースセルからターゲットセルに移動する端末であり、前記ネットワークは、前記ターゲットセルにサービスを提供するネットワークであってもよい。
【００１０】
又は、前記端末は、セル選択又は再選択を行う端末であり、前記ネットワークは、前記端末が選択又は再選択したセルにサービスを提供するネットワークであってもよい。
【００１１】
前記システム情報は、ＢＢＵ特定情報、ＲＲＵ特定情報、及びセル特定情報に区分されていてもよく、この場合、前記システム情報は、システム情報送信ブロックのタイプ別に、ＢＢＵ特定情報、ＲＲＵ特定情報、及びセル特定情報に区分されていてもよく、システム情報送信ブロックのタイプにかかわらずに、ＢＢＵ特定情報、ＲＲＵ特定情報、及びセル特定情報に区分されていてもよい。
【００１２】
前記識別子は、仮想ＢＢＵプールＩＤ、ＢＢＵ  ＩＤ及びＲＲＵ  ＩＤのうち一つ以上を含んでもよい。
【００１３】
また、この方法は、前記ネットワークからシステム情報スケジューリング情報を受信し、受信した前記システム情報スケジューリング情報によって前記ＢＢＵの変更、前記ＲＲＵの変更、前記セルの変更のいずれか一つに対する必要なシステム情報を選択的に受信することをさらに含んでもよい。
【００１４】
このとき、前記システム情報スケジューリング情報は、特定システム情報ブロックが適用されるＢＢＵグループ、ＲＲＵグループ及びキャリアグループを示す識別子を含んでもよく、前記システム情報スケジューリング情報は、特定システム情報ブロックがＢＢＵ共通情報なのか、ＲＲＵ共通情報なのか、キャリア共通情報なのかを示す単位フィールドをさらに含んでもよい。
【００１５】
一方、本発明の他の側面では、一つ以上のＢＢＵ（Ｂａｓｅｂａｎｄ  Ｕｎｉｔ）、及び前記ＢＢＵのうちの特定ＢＢＵに一つ以上接続され、端末に一つ以上のセルを介してサービスを直接提供するＲＲＵ（Ｒｅｍｏｔｅ  Ｒａｄｉｏ  Ｕｎｉｔ）を含むクラウド無線通信システムにおいて端末にシステム情報を送信する方法を提供する。この方法は、ネットワークから端末にＢＢＵ、ＲＲＵ及びセルの変更の有無を把握可能な識別子を送信し、前記ネットワークからＢＢＵの変更、ＲＲＵの変更、及びセルの変更のいずれか一つに必要なシステム情報を区分して、前記端末が前記ＢＢＵ、前記ＲＲＵ及び前記セルのいずれか一つ以上の変更の有無によって選択的にシステム情報を受信するように送信することを特徴とする。
【００１６】
また、本発明の更に他の側面では、一つ以上のＢＢＵ（Ｂａｓｅｂａｎｄ  Ｕｎｉｔ）、及び前記ＢＢＵのうちの特定ＢＢＵに一つ以上接続され、端末に一つ以上のセルを介してサービスを直接提供するＲＲＵ（Ｒｅｍｏｔｅ  Ｒａｄｉｏ  Ｕｎｉｔ）を含むクラウド無線通信システムで動作する端末装置を提供する。この端末装置は、ＢＢＵ、ＲＲＵ及びセルの変更の有無を把握可能な識別子をネットワークから受信するための受信器と、前記受信器と接続され、前記受信された識別子から前記ＢＢＵ、前記ＲＲＵ及び前記セルのいずれか一つ以上の変更の有無を把握するように構成されたプロセッサと、を備え、前記プロセッサは、前記受信器を介して前記ネットワークから前記ＢＢＵの変更、前記ＲＲＵの変更、前記セルの変更のいずれか一つに対する必要なシステム情報だけを選択的に受信するように制御することを特徴とする。
【００１７】
また、本発明の更に他の側面では、一つ以上のＢＢＵ（Ｂａｓｅｂａｎｄ  Ｕｎｉｔ）、及び前記ＢＢＵのうちの特定ＢＢＵに一つ以上接続され、端末に一つ以上のセルを介してサービスを直接提供するＲＲＵ（Ｒｅｍｏｔｅ  Ｒａｄｉｏ  Ｕｎｉｔ）を含むクラウド無線通信システムで動作するネットワーク装置であって、端末にＢＢＵ、ＲＲＵ及びセルの変更の有無を把握可能な識別子を送信するように構成された送信器と、前記送信器と接続され、ＢＢＵの変更、ＲＲＵの変更、及びセルの変更のいずれか一つに必要なシステム情報を区分して、前記端末が前記ＢＢＵ、前記ＲＲＵ及び前記セルのいずれか一つ以上の変更の有無によって選択的にシステム情報を受信するようにシステム情報を送信するように制御するプロセッサと、を備えるネットワーク装置を提供する。
【発明の効果】
【００１８】
上述したような技術によってクラウド無線ＬＡＮ環境と共に異種網環境で端末が毎回システム情報を取得するための負担を低減させることができる。
【図面の簡単な説明】
【００１９】
【図１】異種セル構造を有するネットワーク環境を説明するための図である。
【図２】クラウド無線通信システムのＲＲＨ概念を説明するための図である。
【図３】本発明を適用するクラウド無線接続ネットワークの概念を説明するための図である。
【図４】本発明の一実施の形態を適用し得るクラウドＲＡＮ構造の例を示す図である。
【図５】本発明を適用し得るＣ−ＲＡＮ環境でＢＢＵ、ＲＲＵ及びキャリア間のマッピング関係を説明するための図である。
【図６】本発明を適用し得るＣ−ＲＡＮ環境でＢＢＵ、ＲＲＵ及びキャリア間のマッピング関係を説明するための図である。
【図７】本発明を適用し得るＣ−ＲＡＮ環境でＢＢＵ、ＲＲＵ及びキャリア間のマッピング関係を説明するための図である。
【図８】本発明の一側面で提案するＣ−ＲＡＮ  ＳＡＳ環境におけるネットワーク識別子の概念を説明するための図である。
【図９】ＬＴＥ−Ａシステムにおいて端末がシステム情報を受信する手続きについて説明するための図である。
【図１０】本発明の一実施の形態によってシステム情報を構成する方法を説明するための図である。
【図１１】本発明の他の実施の形態によってシステム情報を構成する方法を説明するための図である。
【図１２】上述した本発明に係る方式を適用した一適用例を説明するための図である。
【図１３】本発明の一実施例を説明するための無線装置のブロックダイアグラムである。
【発明を実施するための形態】
【００２０】
以下、本発明に係る好適な実施の形態を添付の図面を参照しつつ詳しく説明する。添付の図面と共に以下に開示する詳細な説明は、本発明の例示的な実施の形態を説明するためのもので、本発明が実施され得る唯一の実施の形態を示すためのものではない。
【００２１】
以下の詳細な説明は、本発明の完全な理解を提供するために具体的な細部事項を含む。しかし、当業者にとって本発明をこのような具体的な細部事項無しにも実施できるということは明らかである。場合によって、本発明の概念が曖昧になることを避けるために公知の構造及び装置を省略してもよく、各構造及び装置のコア機能を中心にしたブロック図の形式で示してもよい。
【００２２】
上述したように、以下の説明は、クラウド無線通信システムにおいて端末の負担を減らしつつシステム情報を送受信するための技術に関する。そのために、まず、上述した従来の異種網がクラウド無線通信システムに変更される概念について説明する。
【００２３】
図２は、クラウド無線通信システムのＲＲＨ概念を説明するための図である。
【００２４】
ネットワーククラウドを可能にする３つのコア技術としては、ＲＲＨ（Ｒｅｍｏｔｅ  Ｒａｄｉｏ  Ｈｅａｄ）／ＣｏＭＰ技術、ソフトウェアモデム技術、及びクラウドコンピューティング技術を挙げることができる。無線接続網の分野においてネットワーククラウドを可能にさせた最も肝心な技術はＲＲＨであるる。ＲＲＨは、無線送信の側面でも非常に重要な要素であるが、無線接続網の構造においても画期的な変化の原因となっている。
【００２５】
ＲＲＨは元々光中継機の一種として開発されたが、最近では中央集中基地局実現のコア要素として用いられている。図２に示すように、ＲＲＨの導入によって、ＲＦＵ（Ｒａｄｉｏ  Ｆｒｅｑｕｅｎｃｙ  Ｕｎｉｔ）或いはＲＲＵ（Ｒｅｍｏｔｅ  Ｒａｄｉｏ  Ｕｎｉｔ）とＢＢＵ（Ｂａｓｅｂａｎｄ  Ｕｎｉｔ）とが物理的に分化されることにより、物理的な基地局が分散して存在することが不要になった。すなわち、図２に示すように、従来、基地局の役割は、無線信号の送受信のためのＲＦＵ或いはＲＲＵと基地局内の処理のためのＢＢＵとに区別され、両者は光ファイバ（ＷＤＭ−ＰＯＮ）で接続されるようになっているが、これに限定される必要はない。
【００２６】
最近導入されているクラウド接続網の場合、一つの装備で数百個のＲＲＨと連動してネットワークを運営できるようになった。結果として、伝統的なセルの概念とは異なるセルが形成されるようになった。
【００２７】
４Ｇ通信システムまでは全ての無線接続の動作がセルを中心に定義されたが、上記のような構造的変化から、セルの概念を新しく定めることが必要になった。現在、３ＧＰＰではＲｅｌｅａｓｅ  １１のＣｏＭＰ（Ｃｏｏｒｄｉｎａｔｅｄ  Ｍｕｌｔｉ−Ｐｏｉｎｔ）作業項目（Ｗｏｒｋ  Ｉｔｅｍ）でＲＲＨとマクロ基地局が存在する状況における様々な実現シナリオについて議論しており、最近では、ＳＡＳ（Ｓｈａｒｅｄ  Ａｎｔｅｎｎａ  Ｓｙｓｔｅｍ）のように、一つのＲＲＨを複数のセルが共有する概念に関する研究が進行している。また、状況によって、ＲＲＨクラスタを調整してセル領域を動的に変更するなどの概念も研究されている。
【００２８】
このような中で最近ではＣ−ＲＡＮ（Ｃｌｏｕｄ  Ｒａｄｉｏ  Ａｃｃｅｓｓ  Ｎｅｔｗｏｒｋ）プロジェクトへの関心が非常に高まっている。
【００２９】
図３は、本発明を適用するクラウド無線接続ネットワークの概念を説明するための図である。
【００３０】
図３に示すように、複数のＲＲＨ３０１ａ，３０１ｂ，３０１ｃは光接続装備を介して仮想基地局３０２ａに接続することができる。ＲＲＨは、ＬＴＥ、ＨＳＰＡ、ＷｉＭＡＸ／ＷｉＦｉなどの様々な無線接続方式を用いることができる。仮想基地局３０２ａ，３０２ｂは、ソフトウェアによって実現することができ、同様に、ＬＴＥ、ＨＳＰＡ、ＷｉＭＡＸ／ＷｉＦｉなどの様々な無線接続技術によって実現することができる。一方、仮想基地局３０２ａ，３０２ｂは接続制御サーバー３０３及びコアネットワーククラウドサーバー３０４に接続されてサービスが制御されてもよい。
【００３１】
一方、ＲＲＨは、仮想基地局と一対一の関係を有する必要はなく、図３に示すように、１つ又は複数のＲＲＨがまとめられて（３０１ａ，３０１ｂ，３０１ｃ）、一つの仮想基地局３０２ａを介して制御されてもよい。これによって、従来はセル領域が固定されていたが、Ｃ−ＲＡＮでは、動的にＲＲＨクラスタを変更してセルを動的に割り当てることが可能になる。
【００３２】
上述のようなＣ−ＲＡＮ  ＳＡＳ環境の構造的特性上、端末が特定ＲＲＵによって用いられるソースセル（又は、キャリア（Ｃａｒｒｉｅｒ））からターゲットセル（又は、キャリア）に移動する場合、特定ＢＢＵのソースＲＲＵからターゲットＲＲＵに移動する場合、及び特定ネットワーク内のソースＢＢＵからターゲットＢＢＵに移動する場合などを含む様々な場合が発生しうる。このため、端末は毎回新しいターゲットセルでシステム情報を取得しなければならず、負担が増加する。
【００３３】
具体的に、ＵＥは、キャリア（又はＲＲＵ）をスイッチングする或いはキャリア（又はＲＲＵ）を追加する場合に、それぞれのセルから送信されるＳＩＢ（Ｓｙｓｔｅｍ  Ｉｎｆｏｒｍａｔｉｏｎ  Ｂｌｏｃｋ）を受信する。このような状況はＣ−ＲＡＮ  ＳＡＳ環境或いは小型セル配置環境で頻繁に発生しうるが、ＵＥが多いＳＩＢ情報を受信する間に遅延が発生しうる。特に、遅延が大きい場合にはＵＥがＲＬＦ（Ｒａｄｉｏ  Ｌｉｎｋ  Ｆａｉｌｕｒｅ）などになることもあり、システム性能の低下につながりうる。
【００３４】
これを解決するために、本発明の一実施の形態では、Ｃ−ＲＡＮ  ＳＡＳ環境で構造的特性を用いてシステム情報をＢＢＵ／ＲＲＵ／キャリア特定のシステム情報（ＳＩ）に分類して送信することを提案する。すなわち、端末がソースセルからターゲットセルに移動する場合には、上述したとおり、ＢＢＵ及びＲＲＵの変動無しでキャリア（セル）だけが変更される場合、ＲＲＵが変更される場合、ＢＢＵが変更される場合などの様々な場合が存在するため、このようなネットワーク構造を考慮してシステム情報を設計し、端末が必要なシステム情報だけを受信できるようにすることによって、システム情報の取得のための端末の負担を軽減することができる。
【００３５】
すなわち、本実施の形態では、Ｃ−ＲＡＮ  ＳＡＳ環境においてＵＥがあらかじめ取得したＳＩＢ情報と異なるＳＩＢ情報だけを取得するようにすることによって、ＵＥの負担を減らし、システム性能を改善する方法を提案する。これを適用するために、ＵＥは、キャリア（又はＲＲＵ）をスイッチング（移動）する或いはキャリア（又はＲＲＵ）を追加する場合に、ＢＢＵ／ＲＲＵ／キャリア単位のうちどの単位が変更されたかまず把握し、把握した情報に基づいて、特定キャリアで送信しているＳＩ（ここで、ＳＩは、ＢＢＵ／ＲＲＵ／キャリア特定のＳＩを全て含む。）の全体或いは一部のＳＩを受信することができる。例えば、ＵＥがＢＢＵとＲＲＵはいずれも同一である他のキャリアにスイッチングした場合には、キャリア特定ＳＩだけを受信すればよい。
【００３６】
上述した実施の形態で提案する方法はＣ−ＲＡＮ  ＳＡＳ環境を取り上げて説明したが、これは、便宜のためのものであり、小型セル環境或いは図１で上述した既存の異種網環境でも同様の概念を適用することができる。
【００３７】
上述した実施の形態を適用し得る具体的な例として様々なネットワーク配置構造について説明する。
【００３８】
図４は、本発明の一実施の形態を適用し得るクラウドＲＡＮ構造の例を示している。具体的に、図４は、５Ｇ無線網が指向する一つの案であるクラウドＲＡＮの構造を示している。
【００３９】
５ＧクラウドＲＡＮでは、仮想ＢＢＵプール４０１ａ，４０１ｂが存在し、各ＢＢＵプール４０１ａ，４０１ｂが複数のＢＢＵを含むことができる。一方、各ＢＢＵプール４０１ａ，４０１ｂは、アクセスＧＷ４０２ａ，４０２ｂを介して、Ｍｕｌｔ−ＲＡＴをサポートするＳＡＳ  ＲＲＵ  ４０３ａ，４０３ｂと関連付けられる構造を有することができる。
【００４０】
仮想ＢＢＵプール内のＢＢＵは、複数のＲＡＴをサポートするＢＢＵと定義され、特定時間に一つのＲＲＵは一つ以上のＢＢＵと関連付けられてもよく、ＲＲＵは自身と関連付けられたＢＢＵの制御を受ける。仮想ＢＢＵプール内のＢＢＵとＲＲＵとの接続は理想的なバックホール（Ｉｄｅａｌ  Ｂａｃｋｈａｕｌ）を仮定し、ある仮想ＢＢＵプールは他の仮想ＢＢＵプールとＸ２類似インターフェース４０４を介して接続されてもよい。ＲＲＵの時間によって変化する所属は、ＢＢＵの状況（例、負荷状況、リソース使用状況、その他）によって一つのＢＢＵから他のＢＢＵに変更されてもよい。
【００４１】
一方、Ｃ−ＲＡＮ  ＳＡＳ環境でＢＢＵ／ＲＲＵ／キャリア間のマッピング関係は様々であってもよく、これについて説明する。以下では説明の便宜のために簡単な例のみを取り上げるが、実際の状況は、各例が組み合わせられた形態であっもよい。便宜上、キャリアをＦ１及びＦ２と例示し、２つのＲＲＵ状況でのみ説明する。
【００４２】
図５乃至図７は、本発明を適用し得るＣ−ＲＡＮ環境でＢＢＵ、ＲＲＵ及びキャリア間のマッピング関係を説明するための図である。
【００４３】
具体的に、図５は、一つのＢＢＵが特定ＵＥのためにデータを送信／受信する場合を示す。この場合、特定ＵＥは一つのＢＢＵから送信するデータを複数個のキャリアＦ１，Ｆ２で受信することができ、特定ＵＥが接続されているＲＲＵの数は任意の正の整数個であり、ＲＲＵの数に制限されない。
【００４４】
図５について説明すると、１）の場合は、ＢＢＵ  ＃０がＲＲＵ  ＃０とＲＲＵ  ＃１を介してそれぞれＦ１というキャリアで信号を送信／受信している場合であり、２）の場合は、ＢＢＵ  ＃０がＲＲＵ  ＃０を介してはＦ１キャリアで、ＲＲＵ  ＃１を介してはＦ２キャリアで信号を送信／受信する場合である。また、３）の場合は、ＢＢＵ  ＃０がＲＲＵ  ＃０を介してはＦ１キャリアで、ＲＲＵ  ＃１を介してはＦ１／Ｆ２キャリアで信号を送信／受信する場合、を示している。
【００４５】
図６は、複数のＢＢＵが特定ＵＥのためにデータを送受信する場合を示している。この場合、特定ＵＥは、複数のＢＢＵから送信するデータを複数個のキャリアで受信することができ、特定ＵＥが接続されているＲＲＵの数は任意の正の整数個であり、ＲＲＵの数に制約されない。
【００４６】
図６について説明すると、１）の場合は、ＢＢＵ  ＃０がＲＲＵ  ＃０のＦ１キャリアでデータを送受信し、ＢＢＵ  ＃１がＲＲＵ  ＃１のＦ１キャリアでデータを送受信している場合を示している。２）の場合は、ＢＢＵ  ＃０がＲＲＵ  ＃０のＦ１キャリア、ＢＢＵ  ＃１がＲＲＵ  ＃１のＦ２キャリアで信号を送受信する場合である。また、３）の場合は、ＢＢＵ  ＃０がＲＲＵ  ＃０のＦ１キャリア、ＢＢＵ  ＃１がＲＲＵ  ＃１のＦ１／Ｆ２キャリアで信号を送受信する場合を示している。
【００４７】
一方、図７は、特定キャリアを複数のＢＢＵが使用して信号を送受信する場合を示している。すなわち、特定キャリアのリソースを複数のＢＢＵがコーディネーションし、それぞれのＢＢＵがコーディネーションされたリソースを用いて信号を送受信することもできる。この場合は、図６の場合と同様に、複数のＢＢＵが特定ＵＥのために信号を送受信する場合であり、特定ＵＥは、複数のＢＢＵから送信する信号を複数個のキャリアで受信することができ、特定ＵＥが接続されているＲＲＵの数は任意の正の整数個であり、ＲＲＵの数に制約されない。
【００４８】
図７を具体的に説明すると、１）の場合は、ＢＢＵ  ＃０がＲＲＵ  ＃０のＦ１キャリアだけでなくＲＲＵ  ＃１のＦ１キャリアを用いて信号を送信／受信し、ＢＢＵ  ＃１がＲＲＵ  ＃１のＦ１キャリアを用いてデータを送信／受信している場合を示している。２）の場合は、ＢＢＵ  ＃０がＲＲＵ  ＃０のＦ１キャリアとＲＲＵ  ＃１のＦ２キャリアを、ＢＢＵ  ＃１がＲＲＵ  ＃１のＦ２キャリアを用いて信号を送受信する場合である。また、３）の場合は、ＢＢＵ  ＃０がＲＲＵ  ＃０のＦ１とＲＲＵ  ＃１のＦ１及び／又はＦ２キャリアを、ＢＢＵ  ＃１がＲＲＵ  ＃１のＦ１／Ｆ２キャリアを用いて信号を送受信する場合を示している。
【００４９】
すなわち、図７は、特定ＢＢＵが２つ以上のＲＲＵのキャリアを用いる場合の例である。
【００５０】
図５乃至図７を参照して説明したようなネットワーク配置環境で、システム情報をＢＢＵ／ＲＲＵ／キャリアの特定情報に区別して送信し、ＵＥは、自身の変更状況に合うシステム情報だけを選択的に受信するためには、ＢＢＵ／ＲＲＵ／キャリアが変更されたか否かを正確に把握する必要がある。そこで、本発明の他の側面では、このようなネットワーク配置構造の変更を把握するための識別子構造を提案する。
【００５１】
図８は、本発明の一側面で提案するＣ−ＲＡＮ  ＳＡＳ環境におけるネットワーク識別子概念を説明するための図である。
【００５２】
図８に示すように、既存のＬＴＥ  Ｒｅｌ−８／９／１０／１１では、ｅＮＢを識別するためのＩＤとしてｅＮＢ  ＩＤ及びＧｌｏｂａｌ  ｅＮＢ  ＩＤを使用し、ｅＮＢを構成するセルに対する識別子としては、ｅＮＢ  ＩＤと、Ｇｌｏｂａｌ  ｅＮＢ  ＩＤにセルＩＤが付いてなるＥＣＩ（Ｅ−ＵＴＲＡＮ  Ｃｅｌｌ  Ｉｄｅｎｔｉｆｉｅｒ）或いはＥＣＧＩ（Ｅ−ＵＴＲＡＮ  Ｃｅｌｌ  Ｇｌｏｂａｌ  Ｉｄｅｎｔｉｆｉｅｒ）を使用している。
【００５３】
このようなＩＤは、特定ＵＥが測定を行って報告をする際、測定結果と共にｅＮＢに送信することによって、２つのｅＮＢ間のＸ２などを設定する時或いはＨＯ（Ｈａｎｄｏｖｅｒ）を行おうとする時、ｅＮＢ階層でそれぞれのｅＮＢを正確に識別できるようにする。
【００５４】
Ｃ−ＲＡＮ  ＳＡＳ環境ではｅＮＢではなくＢＢＵ及びＲＲＵがｅＮＢの役割を担うため、ＬＴＥ  Ｒｅｌ−８／９／１０／１１で使用するｅＮＢ  ＩＤを使用できない場合がある。そこで、図８に示すように、ＬＴＥで用いられてきたｅＮＢ  ＩＤは、仮想ＢＢＵプールＩＤ、ＢＢＵ  ＩＤ、ＲＲＵ  ＩＤなどがそれぞれＸビット、Ｙビット、Ｚビット（ここで、Ｘ，Ｙ，Ｚは任意の正の整数）で構成されてもよい。このようなフィールドのうち特定フィールドは、必要によって省略されてもよい。
【００５５】
例えば、ＭＣＣ、ＭＮＣ、ＢＢＵ  ＩＤで構成されたＩＤがグローバルにユニークである場合、仮想ＢＢＵプールＩＤは省略されてもよい。すなわち、ＰＬＭＮ及びＢＢＵ  ＩＤで特定ＢＢＵを識別できる場合に仮想ＢＢＵプールＩＤは省略されてもよい。又は、ＢＢＵ  ＩＤが仮想ＢＢＵプール単位で再使用される場合にはＰＬＭＮ及びＢＢＵ  ＩＤで特定ＢＢＵを識別できず、このような場合には仮想ＢＢＵを区別し得る仮想ＢＢＵプールＩＤが追加されてもよい。また、ＲＲＵ  ＩＤが含まれることにより、ＬＴＥ  Ｒｅｌ−８／９／１０／１１で使用されていたセルＩＤのために使われた８ビットが、より少ないビットに設定されてもよい。
【００５６】
ＢＢＵ  ＩＤとＲＲＵ  ＩＤは、システム配置を行うに当たって事業者が設定することができ、ＲＲＵ  ＩＤは、仮想ＢＢＵプール、Ａ−ＧＷ、ＭＭＥ単位内で再使用してもよい。このような再使用単位は、特定ＲＲＵが接続される単位と関連してもよい。例えば、図４を参照すると、特定ＲＲＵがＢＢＵプールを超え、スイッチングができない場合に、すなわち、ＲＲＵが他の仮想ＢＢＵプールにあるＡ−ＧＷに直接接続されていない場合に、ＲＲＵ  ＩＤを仮想ＢＢＵ単位で再使用することができる。
【００５７】
或いは、上記の識別子においてＡ−ＧＷ  ＩＤを示すフィールドが追加されてもよい。この場合にＡ−ＧＷ単位でＲＲＵ  ＩＤを再使用することができ、ＲＲＵ  ＩＤを設定する際、隣接した他のＡ−ＧＷに接続されているＲＲＵ  ＩＤと可能な限り遠い距離となるように設定することができる。すなわち、ＲＲＵを再使用するとき、同じＩＤを使用するＲＲＵ間の距離はできるだけ遠くなるように設定することができる。このようなＲＲＵ  ＩＤ（或いは、ＲＲＵ  ＩＤ＋Ｃｅｌｌ  ＩＤ）は、既に用いられたＰＣＩＤの代わりに使用することもでき、よって、このようなＲＲＵ  ＩＤを参照信号（ｒｅｆｅｒｅｎｃｅ  ｓｉｇｎａｌ）或いは他の物理信号を構成する時に使用することができる。
【００５８】
或いは、本発明の他の実施例では、ＲＲＵ  ＩＤとは違い、物理層で使われるＩＤを用いることを提案する。すなわち、上位層においてＲＲＵを区別するＲＲＵ  ＩＤが存在することとは別に、物理層でのみ使われるＩＤがさらに定義されてもよい。このようなＩＤとしては既存のＰＣＩＤ（Ｐｈｙｓｉｃａｌ  ｃｅｌｌ  ＩＤ）を再使用することもできる。このＩＤを、参照信号或いは他の物理信号を構成する時に使用することもできる。
【００５９】
一方、上述したような識別子を用いてＢＢＵ／ＲＲＵ／キャリアの変動の有無を把握できるとき、ＵＥが選択的にシステム情報を受信できるようにシステム情報を構成する方法について説明する。
【００６０】
図９は、ＬＴＥ−Ａシステムにおいて端末がシステム情報を受信する手続きを説明するための図である。
【００６１】
ＬＴＥ−ＡシステムにおいてＵＥはセル選択／再選択、ハンドオーバーの後といった様々な理由から、システム情報の取得手続きを行うことができる。ＬＴＥ−ＡシステムでＵＥが取得するシステム情報は、重要度／用途などによって、マスター情報ブロック（ＭＩＢ）、様々なタイプのシステム情報ブロック（ＳＩＢ）、及びその他のシステム情報（ＳＩ）を受信する。各システム情報を送信するメッセージの送信周期及び方式は個別に規定される。具体的に、ＬＴＥ−Ａでシステムブロックは１６個のタイプを有し、各ＳＩＢはそれぞれ異なるシステム情報を含んでいる。
【００６２】
図１０は、本発明の一実施の形態によってシステム情報を構成する方法を説明するための図である。
【００６３】
図１０に示す実施の形態では、既存のＳＩＢタイプをそのまま維持しながら、各ＳＩＢタイプにおいてＢＢＵ特定情報、ＲＲＵ特定情報、キャリア特定情報を区分して送信する方式を示す。例えば、ＳＩＢタイプ１においてそれぞれの情報の特性によって、すなわち、ＢＢＵ単位、ＲＲＵ単位、キャリア単位で設定可能な情報がそれぞれ新しいシステム情報ブロックタイプとして設定されてもよい。
【００６４】
例えば、図１０に示すように、ＳＩＢ１がそれぞれＢＢＵ単位（或いはグループ）、ＲＲＵ単位（或いはグループ）、キャリア単位（或いはグループ）の共通情報に分けられてそれぞれ新しいＳＩＢ１、ＳＩＢ２、ＳＩＢ３を構成することができる。
【００６５】
すなわち、本発明の一実施の形態では、Ｃ−ＲＡＮ  ＳＡＳにおいてＳＩＢは、ＢＢＵ単位で共通した情報、ＲＲＵ単位で共通した情報、キャリア単位で共通した情報に区分して構成することができる。このようなＳＩＢはＢＢＵにおいて生成することができる。本実施の形態で提案する方法は、共通したＳＩＢ情報が多い場合に、より一層効果的であり、このような場合が、ＲＲＵのグループが一つのセルとして動作する場合であってもよい。また、同じ周波数を使用し、一つのＢＢＵに接続されている場合も同様に、共通したＳＩＢ情報が多い場合であってもよい。しかし、本発明はこのような場合に限定されるものではない。
【００６６】
以下では、ＢＢＵ単位の共通した情報、ＲＲＵ単位の共通した情報、キャリア単位の共通した情報に関する実施例を説明する。下記の実施例は、図１０のように、ＬＴＥにおけるシステム情報構造に基づいて作成したが、後述する実施の形態ではこれに制限される必要はない。
【００６７】
システム情報ブロックタイプ１
ＳＩＢタイプ１においてＢＢＵ単位／ＲＲＵ単位の共通した情報であり、キャリア単位で設定可能な情報は、次の表１のとおりである。
【００６８】
【表１】
0006437555.tif 000002
【００６９】
一方、ＳＩＢタイプ１においてＲＲＵ単位で設定可能な情報の例は、次の表２のとおりである。
【００７０】
【表２】
0006437555.tif 000003
【００７１】
一方、ＳＩＢタイプ１においてキャリア単位で設定可能な情報であり、キャリア選択関連情報は、次の表３のとおりである。
【００７２】
【表３】
0006437555.tif 000004
【００７３】
ここで、ｃｅｌｌＩｄｅｎｔｉｔｙは、上述したＣ−ＲＡＮ  ＳＡＳ環境で新しく規定されたｅＮＢ及びセルの識別子を使用することもできる。
【００７４】
一方、ＳＩＢタイプ１においてキャリア単位で設定可能な情報であり、ＳＩ関連情報は、次の表４のとおりである。
【００７５】
【表４】
0006437555.tif 000005
【００７６】
システム情報ブロックタイプ２
ＳＩＢタイプ２においてＢＢＵ単位／ＲＲＵ単位の共通した情報であり、キャリア単位で設定可能な情報は、次の表５のとおりである。
【００７７】
【表５】
0006437555.tif 000006
【００７８】
一方、ＳＩＢタイプ２においてキャリア単位で設定可能な情報は、次の表６のとおりである。
【００７９】
【表６】
0006437555.tif 000007
【００８０】
システム情報ブロックタイプ３−５
ＳＩＢタイプ３は、周波数間、周波数内、異種網間のセル再選択のための情報を含み、ＳＩＢタイプ４は、周波数内隣接セルに関する情報を含む。ＳＩＢタイプ５は、周波数間セル再選択のための情報、例えば、セル再選択と関連した周波数間隣接セル及び他のＥ−ＵＴＲＡ周波数に関する情報を含む。
【００８１】
このようなＳＩＢ３乃至ＳＩＢ５においてＲＲＵ単位の共通情報である、キャリア単位で設定可能な情報は、周波数内／周波数間セル再選択のための隣接セルリスト情報を含むことができる。
【００８２】
システム情報ブロックタイプ６−８
ＳＩＢタイプ６は、異種無線網間（ｉｎｔｅｒ−ＲＡＴ）セル再選択のための情報として、ＵＴＲＡ周波数及びセル再選択と関連したＵＴＲＡ隣接セルに関する情報を含み、ＳＩＢタイプ７は、異種無線網間セル再選択のための情報として、セル再選択と関連したＧＥＲＡＮ周波数情報を含む。ＳＩＢタイプ８は、異種無線網間セル再選択のための情報として、セル再選択と関連したＣＤＭＡ２０００周波数及びＣＤＭＡ２０００隣接セルに関する情報を含む。
【００８３】
このようなＳＩＢタイプ６乃至８においてＲＲＵ単位の共通情報である、キャリア単位設定が可能な情報としては、ＣＤＭＡ２０００隣接セルリストなどの、異種無線網間セル再選択のためのパラメータを含むことができる。
【００８４】
以下の表７は、その他のＳＩＢタイプで共通情報として構成できる情報の例を示すものである。
【表７】
0006437555.tif 000008
【００８５】
上述の表で、各情報の名称は基本的に従来のＬＴＥ標準の定義と同一であればよく、ただし、本発明のようにクラウドネットワーク形成のために必要な変更を反映したものであってもよい。
【００８６】
図１１は、本発明の他の実施の形態によってシステム情報を構成する方法を説明するための図である。
【００８７】
すなわち、図１０を参照して上述した実施の形態のように各ＳＩＢタイプ別に共通情報を抽出してＳＩＢを構成する代わりに、本実施の形態では、既存のＳＩＢタイプにかかわらずにそれぞれの情報を組み合わせ、図１１に示すように、ＢＢＵ単位、ＲＲＵ単位、キャリア単位で構成してもよい。
【００８８】
例えば、図１１を参照すると、既存のＬＴＥにおけるＳＩＢのそれぞれの情報がＢＢＵ単位（或いはグループ）、ＲＲＵ単位（或いはグループ）、キャリア単位（或いはグループ）に区分されると、各単位の情報が互いにグループをなして一つのＳＩＢを構成してもよい。すなわち、図１１に示すように、ＳＩＢ１とＳＩＢ２におけるキャリア関連情報をまとめて一つのＳＩＢ１として構成することができる。また、一部のＳＩＢは既存の形態を維持し、一部のＳＩＢは、既存の形態を維持しないで本実施の形態による共通情報単位で再構成されてもよい。
【００８９】
既存のようなシステム情報ブロックタイプを維持し、その内部でＢＢＵ単位、ＲＲＵ単位、キャリア単位の情報を区別して送信する場合に、ＵＥはそれらのシステム情報を全て読まなければならず、利得を得ることができない。しかし、本発明のように、それぞれの単位に区分されたシステム情報ブロックを送信する場合には、ＵＥが自身の変動状態を把握し、全てのシステム情報ブロックを受信しなくてすむように設定することによって、ＵＥの負担を軽減することができる。
【００９０】
上記の説明でいうシステム情報ブロックという言葉は一例であり、新しい単位が新しく定義されてもよい。
【００９１】
上記の説明では、ネットワークの構造がＢＢＵ、ＲＲＵ、キャリアの構造で構成されるとしたが、上述したような異種網環境でマクロセルと小型セルが配置されている環境の場合、マクロセル共通情報、小型セル共通情報などとしてシステム情報が再構成されてもよい。
【００９２】
一方、以下では、本発明の他の側面において共通した情報を有する単位（ＢＢＵ、ＲＲＵ、キャリア）を示す方法について説明する。
【００９３】
ＢＢＵに接続されているＲＲＵがいずれも共通した情報を有しており、このような情報をＢＢＵ単位で共通した情報として設定する場合には、ＲＲＵを区別する必要がない。或いは、特定ＲＲＵを介して送信されている全キャリアの共通した情報である場合に、ＲＲＵ単位で共通した情報を設定することができ、このような場合に特定ＲＲＵで送信されているキャリアを区別する必要はない。
【００９４】
このように共通情報単位でシステム情報を再構成するとき、オーバーヘッドを最小化しながら、どの単位の共通情報であるかを示す方法として、次のような例を挙げることができる。
【００９５】
実施例１
ＢＢＵに接続されたＲＲＵのうち任意のＲＲＵグループ、或いは（別個の或いは同一の）ＲＲＵのキャリアグループが互いに共通した情報を有する場合に、ＳＩＢｓのスケジューリング情報を知らせる情報（ＬＴＥでは、ｓｃｈｅｄｕｌｉｎｇＩｎｆｏＬｉｓｔ）で当該ＳＩＢがどのＲＲＵグループ、（別個の或いは同一の）ＲＲＵのキャリアグループの共通した情報であるかを知らせるように設定することができる。
【００９６】
そのために、上記で定義したＣ−ＲＡＮ  ＳＡＳ環境でｅＮＢ及びセルの識別子を用いて、どのＲＲＵ或いはＲＲＵのキャリアの共通した情報であるかを知らせることができる。或いは、ＢＢＵの共通した情報である場合にも、前で定義されたＣ−ＲＡＮ  ＳＡＳ環境でｅＮＢ及びセルの識別子を用いてどのＢＢＵの共通した情報であるかを知らせることができる。勿論、特定キャリアのための特定の情報である場合には、ＳＩＢ−ＧｒｏｕｐＩｄｅｎｔｉｔｙが省略されてもよい。すなわち、ＳＩＢ−ＧｒｏｕｐＩｄｅｎｔｉｔｙが省略された場合、上述したＣ−ＲＡＮ  ＳＡＳ環境でｅＮＢ及びセルの識別子から、このようなキャリアのためのシステム情報であることを認知することもできる。或いは、特定キャリアに特定であることを示す指示子がさらに適用されてもよい。
【００９７】
次の表８は、本実施例に係るシステム情報スケジューリングメッセージの構成を示す。
【表８】
0006437555.tif 000009
【００９８】
ここで、ＳＩＢ−ＧｒｏｕｐＩｄｅｎｔｉｔｙを用いて、特定ＳＩＢがどのＢＢＵ、ＲＲＵ或いはキャリアの共通した情報であるかを知らせることができる。
【００９９】
実施例２
或いは、上で提案した方法のようにＣｅｌｌＩｄｅｎｔｉｔｙを送信する場合には、長さが長いため、多量のデータを必要とする場合もある。そこで、実施例２では、ＢＢＵ単位（或いはグループ）か、ＲＲＵ単位（或いはグループ）か或いはキャリア単位（或いはグループ）かを示すフィールドと、それぞれの単位によるＩＤを送信する方法を提案する。
【０１００】
また、このような共通レベルを示すフィールドを、特定キャリアに特定の情報であることを示すために用いることもできる。このような方法は特定の場合に限定して適用することもでき、上記で提案した方法と共に適用することもできる。この場合、前で言及したように、ＳＩＢを送信するＣ−ＲＡＮ  ＳＡＳ環境でｅＮＢ及びセルの識別子が送信されるため、単位によるＩＤだけを送信しても、それを把握することができる。
【０１０１】
セルＩＤがＲＲＵ単位で再使用される場合には、他のＲＲＵと関連付いたキャリアが共通情報を含むとき、キャリアに対する区別ができない。このため、この場合には、ＲＲＵ  ＩＤも併せて知らせることができる。
【０１０２】
下記の表９は、本実施例に係るシステム情報スケジューリングメッセージの構成を示す。
【表９】
0006437555.tif 000010
【０１０３】
上記の表９で、‘ＳＩＢ−ＧｒｏｕｐＩｎｄｉｃａｔｏｒ’を用いて、当該システム情報がＢＢＵ特定情報か、ＲＲＵ特定情報か又はキャリア特定情報かを示すことができ、‘ＳＩＢ−ＧｒｏｕｐＩｄｅｎｔｉｆｙ’フィールドを用いて、該当のレベルで適用されるネットワークを示すことができる。
【０１０４】
図１２は、上述した本発明に係る方式を適用した一適用例を説明するための図である。
【０１０５】
図１２の例は、ＲＲＵ＃０及びＲＲＵ＃１がＦ１キャリアを利用し、ＲＲＵ＃２がＦ１キャリア及びＦ２キャリアを利用する場合を示している。
【０１０６】
まず、上述した実施例１の方式を用いる場合の一例を説明する。
【０１０７】
ＲＲＵ  ＃０とＲＲＵ  ＃１のＦ１キャリアで互いに共通した情報を特定ＳＩＢとして送信する場合には、スケジューリング情報にＳＩＢのタイプの他、Ｃ−ＲＡＮ  ＳＡＳ環境におけるｅＮＢ及びセルの識別子も送信することができる。もしＳＩＢ  ＃２であれば、ＳＩＢ−ＧｒｏｕｐＣｅｌｌＩｄｅｎｔｉｔｙとして、図８を参照して上述したように、新しく定義したＥＣＧＩを送信することができる。それぞれのＲＲＵでＦ１をセル＃０と設定したとすれば、ＳＩＢ−ＧｒｏｕｐＣｅｌｌＩｄｅｎｔｉｔｙでは｛ＰＬＭＮ  ＩＤ＋ＢＢＵ  ＃０＋ＲＲＵ  ＃０＋ｃｅｌｌ  ＃０，ＰＬＭＮ  ＩＤ＋ＢＢＵ  ＃０＋ＲＲＵ  ＃１＋ｃｅｌｌ  ＃０｝のような情報を送信することができる。もし同一のＰＬＭＮでのみそれぞれのＢＢＵ／ＲＲＵ／キャリア単位で区別してＳＩＢを送信するようにする場合には、上記で定義したＥＣＩを送信してもよい。それぞれのＲＲＵでＦ１をセル＃０に設定したとすれば、ＳＩＢ−ＧｒｏｕｐＣｅｌｌＩｄｅｎｔｉｔｙでは｛ＢＢＵ  ＃０＋ＲＲＵ  ＃０＋ｃｅｌｌ  ＃０，ＢＢＵ  ＃０＋ＲＲＵ  ＃１＋ｃｅｌｌ  ＃０｝のような情報を送信してもよい。
【０１０８】
一方、他の例としては、図１２で、ＲＲＵ  ＃２のＦ１キャリアとＦ２キャリアが互いに共通した特定ＳＩＢを送信する場合、ＲＲＵ  ＃２のＦ１キャリアをセル＃０に、ＲＲＵ  ＃２のＦ２キャリアをセル＃１に設定したと仮定すれば、ＳＩＢ−ＧｒｏｕｐＣｅｌｌＩｄｅｎｔｉｔｙでは｛ＰＬＭＮ  ＩＤ＋ＢＢＵ  ＃０＋ＲＲＵ  ＃２＋ｃｅｌｌ  ＃０，ＰＬＭＮ  ＩＤ＋ＢＢＵ  ＃０＋ＲＲＵ  ＃２＋ｃｅｌｌ  ＃１｝のような情報が送信されてもよい。もし同一のＰＬＭＮでのみそれぞれのＢＢＵ／ＲＲＵ／キャリア単位で区別してＳＩＢを送信するようにする場合には、上記で定義したＥＣＩを送信してもよく、ＳＩＢ−ＧｒｏｕｐＣｅｌｌＩｄｅｎｔｉｔｙでは｛ＢＢＵ  ＃０＋ＲＲＵ  ＃２＋ｃｅｌｌ  ＃０，ＢＢＵ  ＃０＋ＲＲＵ  ＃２＋ｃｅｌｌ  ＃１｝のような情報を送信することができる。
【０１０９】
更に他の例として、ＢＢＵ  ＃０と接続されたＲＲＵ  ＃０のセル＃０と定義されたｆ１キャリアのためのＳＩＢ情報を送信する場合には、ＳＩＢでＣ−ＲＡＮ  ＳＡＳ環境におけるｅＮＢ及びセルの識別子だけを送信してもよい。すなわち、ＳＩＢ−ＧｒｏｕｐＣｅｌｌＩｄｅｎｔｉｔｙが省略されるＳＩＢの場合には特定キャリアに特定の情報であることを示すことができる。
【０１１０】
一方、上述した実施例２を適用する場合について説明する。すなわち、共通情報が適用される単位（或いはグループ）を示すフィールド（上述した表ではＳＩＢ−ＧｒｏｕｐＩｎｄｉｃａｔｏｒと定義する。）を送信する場合について説明する。
【０１１１】
例えば、当該フィールドに２ビットを用いて単位を示す場合に、‘００’はＢＢＵ単位（或いはグループ）、‘０１’はＲＲＵ単位（或いはグループ）、‘１０’はキャリア単位（或いはグループ）、‘１１’はキャリア特定の情報であることを示すものとあらかじめ定義することができる。
【０１１２】
これを図１２の例に適用すると、ＲＲＵ  ＃０とＲＲＵ  ＃１で使われるキャリアに関わらずに互いに共通した特定ＳＩＢを送信する場合には、ＳｃｈｅｄｕｌｉｎｇＩｎｆｏを用いて、ＳＩＢのタイプの他に、共通単位を示すフィールド及び単位によるＩＤも送信することができる。ＲＲＵ単位で共通した情報を送信する場合、単位を示すフィールドでは‘０１’が送信され、ＲＲＵ単位であることから、それぞれのＲＲＵのＩＤを送信することができる。これによって、単位によるＩＤとしては｛ＲＲＵ  ＃０，ＲＲＵ  ＃１｝を送信することができる。
【０１１３】
このような情報は、ＲＲＵ  ＃０のｆ１キャリアとＲＲＵ  ＃１のｆ１キャリアで送信することができる。ＲＲＵ  ＃０のｆ１キャリアでこのようなＳＩＢ情報が送信される場合に、ＲＲＵ  ＃０のｆ１キャリアで送信される他のＳＩＢ情報のうち、Ｃ−ＲＡＮ  ＳＡＳ環境におけるｅＮＢ及びセルの識別子を用いて、ＲＲＵ  ＃０と共通したＳＩＢ情報を使用するＲＲＵ  ＃１の情報（ＰＬＭＮ，ＢＢＵ  ＩＤ）に関する情報を取得することができる。ＲＲＵ  ＃１で送信されるＳＩＢも、ＲＲＵ  ＃０の場合と類似の適用が可能である。
【０１１４】
他の例として、図１２でＲＲＵ  ＃２のｆ１キャリアとｆ２キャリアが互いに共通した特定ＳＩＢを送信する場合には、ＳｃｈｅｄｕｌｉｎｇＩｎｆｏで、ＳＩＢのタイプの他に、単位を示すフィールド及び単位によるＩＤを送信することができる。ＲＲＵ  ＃２でｆ１キャリアをセル＃０に、ｆ２キャリアをｃｅｌｌ  ＃１に設定したと仮定すれば、キャリア単位（或いはグループ）で共通した情報であることから、単位を示すフィールドでは‘１０’を送信し、キャリア単位であることから、それぞれのキャリアを示すセルＩＤである｛ｃｅｌｌ  ＃０，ｃｅｌｌ  ＃１｝を送信することができる。
【０１１５】
もし、ＲＲＵ  ＃０のｆ１キャリアでこのようなＳＩＢ情報が送信される場合に、ＲＲＵ  ＃２のｆ１キャリアで送信される他のＳＩＢ情報のうち、Ｃ−ＲＡＮ  ＳＡＳ環境におけるｅＮＢ及びセルの識別子を用いて、ＲＲＵ  ＃２のｆ１キャリアと共通するＳＩＢ情報を使用するＲＲＵ  ＃２のｆ２キャリアの情報（ＰＬＭＮ，ＢＢＵ  ＩＤ，ＲＲＵ  ＩＤ）に関する情報を取得することができる。ＲＲＵ  ＃２のｆ２キャリアで送信されるＳＩＢも、ＲＲＵ  ＃２のｆ１キャリアの場合と類似の適用が可能である。
【０１１６】
更に他の例として、ＢＢＵ  ＃０と接続されたＲＲＵ  ＃０のセル＃０と定義されたｆ１キャリアのためのＳＩＢ情報を送信する場合には、ＳＩＢにＳＩＢ−ＧｒｏｕｐＩｎｄｉｃａｔｏｒを用いてキャリア特定の情報であることを示すために‘１１’を送信することができ、ＳＩＢ−ＧｒｏｕｐＣｅｌｌＩｄｅｎｔｉｔｙが省略されるＳＩＢの場合には、Ｃ−ＲＡＮ  ＳＡＳ環境におけるｅＮＢ及びセルの識別子が示す特定キャリアの特定の情報であることを示すことができる。
【０１１７】
一方、以下では、上述したような説明に基づいてＵＥがＳＩＢを受信するプロセスについて説明する。
【０１１８】
特定ＵＥがセルに接続するためには、特定セルに対する同期を取った後、特定セルに関する情報を取得する過程が必要である。既存のＬＴＥ  Ｒｅｌ−８／９／１０／１１においてＵＥは同期を取った後、ＢＣＨ（Ｂｒｏａｄｃａｓｔ  Ｃｈａｎｎｅｌ）を取得してセルに対する基本情報を得る。まず、ＭＩＢ（Ｍａｓｔｅｒ  ｉｎｆｏｒｍａｔｉｏｎ  ｂｌｏｃｋ）を受信することによって、システム帯域幅、ＰＨＩＣＨ構造、システムフレーム番号、アンテナ数、４０ｍｓ同期を獲得し、その後、システム情報ブロックを受信する。このシステム情報ブロックを受信することによって、前で言及したシステムに関する情報を取得し、その後、ＵＥはこの情報を用いてセルに接続することができる。
【０１１９】
既存のＬＴＥ  Ｒｅｌ−８／９／１０／１１でＵＥは、セルが変更される度にＳＩＢ情報を新しく受信する手続きを行った。しかし、このような手続きは、小型セルとしてＣ−ＲＡＮ  ＳＡＳ状況におけるＲＲＨが配置されている状況ではセルの半径が小さくなるため、頻繁にＳＩＢ受信手続きを行うべき負担を生じさせる。そこで、上述した本発明の実施の形態では、ＵＥにとっての上記の負担を減らし且つ一層迅速な接続のために、ＵＥがサービングセルからターゲットセルに移動する場合、或いはセル再選択をする場合に、変更されたＳＩＢ情報だけを取得できるようにする方法を提案した。
【０１２０】
ＵＥがサービングセルからターゲットセルに移動する場合、或いはセル再選択を行う場合に、特定セル（キャリア）のＳＩＢ１を受信し、特定セルに関する情報のうち、Ｃ−ＲＡＮ  ＳＡＳ環境でｅＮＢ及びセルの識別子を受信することができる。このような識別子を用いて、ＵＥは、変更されたセルとサービングセル或いは以前にＵＥがＩｄｌｅ状態で位置していたセルとの関係が分かる。例えば、上述した方法でＣ−ＲＡＮ  ＳＡＳ環境でｅＮＢ及びセルの識別子を構成する場合に、ＵＥは、自身が他のＢＢＵのセルに移動したか、他のＲＲＵのセルに移動したか、或いは他のキャリアに移動したかが分かる。
【０１２１】
例えば、特定ＵＥがＳＩＢで受信したＣ−ＲＡＮ  ＳＡＳ環境におけるｅＮＢ及びセルの識別子が、ＰＬＭＮ  ＩＤ＋ＢＢＵ  ＃０＋ＲＲＵ  ＃０＋ｃｅｌｌ  ＃０のセルからＰＬＭＮ  ＩＤ＋ＢＢＵ  ＃０＋ＲＲＵ  ＃１＋ｃｅｌｌ  ＃０のセルに移るか、或いは再選択する場合には、特定ＵＥは自身がＲＲＵ  ＃０からＲＲＵ  ＃１のセルに移動したことが分かるとともに、引き続きＢＢＵ  ＃０を介して接続することができるということが分かる。この場合には、ＵＥは、ＢＢＵ単位のＳＩコンテンツが変更されていない状態であると仮定し、ＢＢＵ単位の共通した情報を受信しなくてもよいということが分かり、よって、移動する前のセルのＢＢＵ単位の共通した情報を再使用することができる。このような場合に、セルＩＤはＲＲＵ単位で再使用できるため、上述したＳＩＢ−ＧｒｏｕｐＩｄｅｎｔｉｔｙ（或いは、ＳＩＢ−ＧｒｏｕｐＩｎｄｉｃａｔｏｒも含まれてもよい。）を確認し、２つのセルのためのキャリア単位の共通した情報が含まれたＳＩＢが存在するか否か把握できる。もしＳＩＢ−ＧｒｏｕｐＩｄｅｎｔｉｔｙに｛ＰＬＭＮ  ＩＤ＋ＢＢＵ  ＃０＋ＲＲＵ  ＃０＋ｃｅｌｌ  ＃０，ＰＬＭＮ  ＩＤ＋ＢＢＵ  ＃０＋ＲＲＵ  ＃１＋ｃｅｌｌ  ＃０｝がある場合には、２つのキャリアの共通した情報が含まれたＳＩＢがあることが分かり、２つのキャリアの共通したＳＩＢを再び受信する必要がなく、よって、これに対するＳＩＢ情報を受信しないで、既存のＰＬＭＮ  ＩＤ＋ＢＢＵ  ＃０＋ＲＲＵ  ＃０＋ｃｅｌｌ  ＃０のセルで受信した２つのキャリアの共通したＳＩＢを再使用することができる。
【０１２２】
或いは、ＳＩＢ−ＧｒｏｕｐＩｄｅｎｔｉｔｙに｛ＰＬＭＮ  ＩＤ＋ＢＢＵ  ＃０＋ＲＲＵ  ＃０＋ｃｅｌｌ  ＃０，ＰＬＭＮ  ＩＤ＋ＢＢＵ  ＃０＋ＲＲＵ  ＃１＋ｃｅｌｌ  ＃０｝がない場合には、２つのキャリアの共通した情報が含まれたＳＩＢがないことが分かる。
【０１２３】
また、特定ＵＥがＳＩＢで受信したＣ−ＲＡＮ  ＳＡＳ環境におけるｅＮＢ及びセルの識別子がＰＬＭＮ  ＩＤ＋ＢＢＵ  ＃０＋ＲＲＵ  ＃０＋ｃｅｌｌ  ＃０のセルからＰＬＭＮ  ＩＤ＋ＢＢＵ  ＃０＋ＲＲＵ  ＃０＋ｃｅｌｌ  ＃１に移るか、再選択する場合には、特定ＵＥは、自身がＲＲＵ  ＃０のセル＃０からＲＲＵ  ＃０のセル＃１に移動したことが分かり、引き続きＲＲＵ  ＃０を介して接続ができることが分かる。この場合には、ＵＥは、ＢＢＵ単位及びＲＲＵ単位の共通した情報を受信しなくて済み、移動する前のセルのＢＢＵ単位とＲＲＵ単位の共通した情報を再使用することができる。
【０１２４】
特定ＵＥは、キャリア特定の情報を受信した後に、キャリア単位の共通情報、ＲＲＵ単位の共通情報、ＢＢＵ単位の共通情報が読めるように受信順序を定義することができ、このような情報はＳＩＢを設定するに当たって反映することができる。或いは、情報の内容によって、ＢＢＵ単位、ＲＲＵ単位、キャリア単位の共通情報、キャリア特定の情報にかかわらずにＵＥがセルに接続するために必要な情報の順にＳＩＢを設定し、この順でＵＥが受信できるようにしてもよい。このとき、上述した他のＳＩＢに対するスケジューリング及び共通情報に関する情報を含む内容は、他のＳＩＢを読む前に全ＵＥが読めるようにすることが好ましい。
【０１２５】
ＬＴＥ  Ｒｅｌ−１０／１１でＵＥは、ＳＩＢ１で送信されるＳｙｓｔｅｍＩｎｆｏＶａｌｕｅ  Ｔａｇを読み、保存されているＳＩＢ情報が有効であるか否かが確認できる。或いは、ページングメッセージで送信されるｓｙｓｔｅｍＩｎｆｏＭｏｄｉｆｉｃａｔｉｏｎを受信し、ＳＩＢ情報が有効であるか否かが確認できる。しかし、この場合には、特定ＳＩＢが変更される場合にもＵＥは特定ＳＩＢだけでなく他のＳＩＢに関する全ての情報をさらに受信しなければならない。
【０１２６】
上述した実施の形態のようにＢＢＵ、ＲＲＵ、キャリア特定のＳＩＢを区分する場合に、ＳｙｓｔｅｍＩｎｆｏＶａｌｕｅ  Ｔａｇ又はｓｙｓｔｅｍＩｎｆｏＭｏｄｉｆｉｃａｔｉｏｎも同様に、ＢＢＵ、ＲＲＵ、キャリア特定のＳＩＢに区分して送信するように設定することができる。この場合、ＵＥは、ＳＩＢのうち、変更されていないＳＩＢに関する情報は有効であると仮定し、変更されたＳＩＢを受信してＳＩＢ情報をアップデートすることができる。例えば、ＳｙｓｔｅｍＩｎｆｏＶａｌｕｅ  Ｔａｇを｛ＳｙｓｔｅｍＩｎｆｏＶａｌｕｅ  Ｔａｇ＿ＲＲＵ，ＳｙｓｔｅｍＩｎｆｏＶａｌｕｅ  Ｔａｇ＿ＲＲＵ，ＳｙｓｔｅｍＩｎｆｏＶａｌｕｅ  Ｔａｇ＿ｃａｒｒｉｅｒ｝に区分して送信することができる。或いは、ｓｙｓｔｅｍＩｎｆｏＭｏｄｉｆｉｃａｔｉｏｎも同様に、｛ｓｙｓｔｅｍＩｎｆｏＭｏｄｉｆｉｃａｔｉｏｎ＿ＢＢＵ，ｓｙｓｔｅｍＩｎｆｏＭｏｄｉｆｉｃａｔｉｏｎ＿ＲＲＵ，ｓｙｓｔｅｍＩｎｆｏＭｏｄｉｆｉｃａｔｉｏｎ＿ｃａｒｒｉｅｒ｝にして送信することができる。
【０１２７】
このように、ＢＢＵ、ＲＲＵ、キャリア単位のＳＩＢ変更の有無を知らせる情報を受信したＵＥは、ＳｙｓｔｅｍＩｎｆｏＶａｌｕｅ  Ｔａｇが変更されたことを示すＳＩＢ情報を受信することができ、ｓｙｓｔｅｍＩｎｆｏＭｏｄｉｆｉｃａｔｉｏｎが変更されたことを示すＳＩＢ情報を受信することもできる。
【０１２８】
一例として、｛ＳｙｓｔｅｍＩｎｆｏＶａｌｕｅ  Ｔａｇ＿ＲＲＵ，ＳｙｓｔｅｍＩｎｆｏＶａｌｕｅ  Ｔａｇ＿ＲＲＵ，ＳｙｓｔｅｍＩｎｆｏＶａｌｕｅ  Ｔａｇ＿ｃａｒｒｉｅｒ｝のうちＳｙｓｔｅｍＩｎｆｏＶａｌｕｅ  Ｔａｇ＿ＲＲＵの値が変更された場合、ＵＥは、ＲＲＵ特定のＳＩＢ情報が変更されたことを仮定し、このような情報と上述したＳＩＢのスケジューリング情報を受信し、ＲＲＵ特定のＳＩＢ情報を受信することができる。
【０１２９】
他の例として、｛ｓｙｓｔｅｍＩｎｆｏＭｏｄｉｆｉｃａｔｉｏｎ＿ＢＢＵ，ｓｙｓｔｅｍＩｎｆｏＭｏｄｉｆｉｃａｔｉｏｎ＿ＲＲＵ，ｓｙｓｔｅｍＩｎｆｏＭｏｄｉｆｉｃａｔｉｏｎ＿ｃａｒｒｉｅｒ｝のうちｓｙｓｔｅｍＩｎｆｏＭｏｄｉｆｉｃａｔｉｏｎ＿ｃａｒｒｉｅｒの値が変更された場合、ＵＥは、キャリア特定のＳＩＢ情報が変更されたことを仮定し、このような情報と上述したＳＩＢのスケジューリング情報を受信し、キャリア特定のＳＩＢ情報を受信することができる。
【０１３０】
上述したＢＢＵとＲＲＵのマッピング関係及びキャリアによる場合のうち、特定キャリアで複数のＢＢＵが信号を送受信する場合に、様々な方法でＳＩＢを送信することができる。
【０１３１】
一実施例では、特定キャリアで複数個のＢＢＵが別個のＳＩＢを送信しないと仮定し、一つのＢＢＵで複数個のＢＢＵのためのＳＩＢを送信することができる。このとき、ＳＩＢに含まれているｃｅｌｌＩｄｅｎｔｉｔｉｙとしてそれぞれのＣ−ＲＡＮ  ＳＡＳ環境におけるｅＮＢ及びセルの識別子が送信されてもよく、或いは上記で提案した方法が適用されてもよい。このとき、特定キャリアで使用するＰＣＩＤは同一に設定してもよい。
【０１３２】
例えば、特定キャリアを用いて複数個のＢＢＵがデータを送受信する場合に、特定キャリアのＦＤＤ或いはＴＤＤ構成は同一の構成を使用することができる。このような情報を複数個のＢＢＵが共通に使用することができる。
【０１３３】
他の実施例として、特定キャリアで複数個のＢＢＵが別個のＳＩＢを使用することができ、複数個のＢＢＵがそれぞれのＢＢＵのためのＳＩＢを送信してもよく、或いは一つのＢＢＵが複数個のＢＢＵとコーディネーション過程を行い、複数個のＢＢＵに関するＳＩＢ情報を送信してもよい。このとき、ＳＩＢを用いてそれぞれのＣ−ＲＡＮ  ＳＡＳ環境におけるｅＮＢ及びセルの識別子を送信することができ（上記で提案した方法を用いることができる。）、特定キャリアで使用するＰＣＩＤは同一に設定することもできる。
【０１３４】
例えば、特定キャリアを用いて複数個のＢＢＵが信号を送受信する場合に、それぞれのＢＢＵのためのＰＲＡＣＨ構成（リソース、プリアンブルを含む）が別個に設定されてもよく、このようなことを知らせるために上記に提案の方法を利用することができる。
【０１３５】
また、上記で言及した２つの方法をＳＩＢ情報によって組み合わせて適用してもよい。
【０１３６】
任意のＵＥが複数個のＢＢＵが送受信する特定キャリア（セル或いはＲＲＵ）にＨＯを行ったり、或いは初期アクセス（ｉｎｉｔｉａｌ  ａｃｃｅｓｓ）を行うことができる。この場合、任意のＵＥは自身をサポートするＢＢＵを知る必要があり、そのための様々な方法がある。
【０１３７】
ＵＥがＨＯを行う場合
ＵＥは、上述した方法によって送信されるＳＩＢ情報を受信する場合、複数個のＢＢＵが特定キャリア（セル或いはＲＲＵ）を介して信号を送受信することが分かる。ＵＥが特定キャリア（セル或いはＲＲＵ）に対して測定報告を行い、ＨＯのための測定報告をＲＲＵを介して複数個のＢＢＵ或いは複数個のＢＢＵのうちの特定ＢＢＵに送信するとき、ＵＥは、ＨＯイベントがトリガーされた場合に、複数個のＢＢＵの中から、自身がＨＯを行おうとするＢＢＵを決定し、決定したＢＢＵに関する情報を報告することもできる。又は、ＵＥはＨＯイベントがトリガーされたことを示す測定報告を送信する際、複数個のＢＢＵ、及びこのような複数個のＢＢＵとＲＲＵとの関連付けを知らせる、それぞれのＣ−ＲＡＮ  ＳＡＳ環境におけるｅＮＢ及びセルの識別子を送信し、ネットワーク（ソースＢＢＵ、ＭＭＥなど）では、複数個のＢＢＵの中からＵＥがＨＯするＢＢＵを決定することができる。
【０１３８】
ＵＥが初期アクセスを行う場合
ＵＥが初期アクセスを行う場合、あらかじめ定義された方法によってＳＩＢを受信（例えば、ＵＥは信号の強度が最も大きいセル（キャリア又はＲＲＵなど））のＳＩＢを受信）することができる。このとき、ＳＩＢを上述の方法によって構成する場合、ＵＥは、複数個のＢＢＵが特定キャリア（セル或いはＲＲＵ）を介して信号を送受信することが分かる。
【０１３９】
ＵＥは、初期アクセスのためにランダムアクセス（ｒａｎｄｏｍ  ａｃｃｅｓｓ）プリアンブルを送信し、この情報を受信したＢＢＵは、互いにコーディネーション過程を行ったり、或いは初期アクセスのためにあらかじめ定義するなどの方法を用いて、ＵＥをサポートするＢＢＵを決定することができる。
【０１４０】
ネットワークで決定されたＢＢＵをＵＥに知らせるために、ランダムアクセス手続きで用いられるランダムアクセス応答（ｒａｎｄｏｍ  ａｃｃｅｓｓ  ｒｅｓｐｏｎｓｅ）或いはＲＲＣ接続完了メッセージ（ＲＲＣ  Ｃｏｎｎｅｃｔｉｏｎ  ｃｏｍｐｌｅｔｅ  ｍｅｓｓａｇｅ）に、決定されたＢＢＵを知らせ得るＣ−ＲＡＮ  ＳＡＳ環境におけるｅＮＢ及びセルの識別子を含めて送信することができる。これを受信したＵＥは、自身をサポートするＢＢＵが分かる。
【０１４１】
また、ＵＥが複数個のＢＢＵの中から特定ＢＢＵを選択し、当該ＢＢＵのためのＳＩＢ情報を受信し、決定されたＢＢＵにランダムアクセス手続きを行うこともできる。ＵＥが特定キャリアで初期アクセスを行おうとする場合に、ＵＥは、複数個のＢＢＵのうち特定ＢＢＵに接続することを決定することができ、この場合、ＵＥは特定ＢＢＵに該当するＳＩＢを受信して決定したＢＢＵに、初期アクセスのためにランダムアクセスプリアンブルを送信することもできる。
【０１４２】
この場合には、複数個のＢＢＵのためのＲＡＣＨ構成（リソース、プリアンブルなど）がそれぞれ異なるため、受信したＢＢＵは、ＵＥがどのＢＢＵからサポートを受けようと決定したかが分かる。
【０１４３】
以下では、上述したような実施の形態を実現するための装置構成について説明する。
【０１４４】
図１３は、本発明の一実施例を説明するための無線装置のブロックダイアグラムである。
【０１４５】
図１３で無線装置１３００はＵＥ、無線装置１３５０はネットワーク端の装置とすることができる。具体的に、無線装置１３５０としては、ＢＢＵ、ＲＲＵを含むことができ、その他、マクロ基地局、小型セル基地局などを含んでもよい。
【０１４６】
ＵＥ１３００は、プロセッサ１３１０、メモリ１３２０、送受信部１３３０を備えることができ、ネットワーク装置１３５０は、プロセッサ１３６０、メモリ１３７０及び送受信部１３８０を備えることができる。送受信部１３３０及び１３８０は、無線信号を送信／受信し、３ＧＰＰ／ＩＥＥＥ  ８０２などの物理層で実行されてもよい。プロセッサ１３１０及び１３６０は、物理層及び／又はＭＡＣ層で実行され、送受信部１３３０及び１３８０と接続されている。プロセッサ１３１０及び１３６０は、上述したシステム情報の送受信手続きを実行することができる。
【０１４７】
プロセッサ１３１０，１３６０及び／又は送受信部１３３０，１３８０としては、特定集積回路（ａｐｐｌｉｃａｔｉｏｎ−ｓｐｅｃｉｆｉｃ  ｉｎｔｅｇｒａｔｅｄ  ｃｉｒｃｕｉｔ：ＡＳＩＣ）、他のチップセット、論理回路及び／又はデータプロセッサを含むことができる。メモリ１３２０，１３７０としては、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、記憶媒体及び／又は他の記憶ユニットを含むことができる。一実施例がソフトウェアによって実行される時、上述した方法は、上述した機能を果たすモジュール（例えば、プロセス、機能）として実行されてもよい。このモジュールは、メモリ１３２０，１３７０に記憶され、プロセッサ１３１０，１３６０によって実行されてもよい。メモリ１３２０，１３７０は、プロセッサ１３１０，１３６０の内部又は外部に配置され、周知の手段によってプロセッサ１３１０，１３６０と接続されてもよい。
【０１４８】
以上開示した本発明の好適な実施の形態に関する詳細な説明は、当業者が本発明を実装して実施できるように提供された。以上では本発明の好適な実施の形態を参照して説明したが、当該技術の分野における熟練した当業者にとっては上述の説明から本発明を様々に修正及び変更可能であるということが理解できる。したがって、本発明は、ここに開示した実施の形態に制限されるものではなく、ここに開示した原理及び新規な特徴と一致する最も広い範囲を与えようとするものである。
【産業上の利用可能性】
【０１４９】
以上、本発明を、３ＧＰＰベースの５Ｇ移動通信システムに適用されることを仮定して説明したが、これに限定されることはない。本発明は、異種網が混在している無線ネットワーク環境においてシステム情報の取得が必要な任意のシステムに利用可能である。
【図１】
0006437555.tif 000011
【図２】
0006437555.tif 000012
【図３】
0006437555.tif 000013
【図４】
0006437555.tif 000014
【図５】
0006437555.tif 000015
【図６】
0006437555.tif 000016
【図７】
0006437555.tif 000017
【図８】
0006437555.tif 000018
【図９】
0006437555.tif 000019
【図１０】
0006437555.tif 000020
【図１１】
0006437555.tif 000021
【図１２】
0006437555.tif 000022
【図１３】
0006437555.tif 000023